(57)【特許請求の範囲】
【請求項１】
受信する放送番組を選択するチューナ部と、
上記チューナ部により選択された放送番組の受信放送電波を処理して受信画像信号や受信音響信号を出力する中間波信号処理部と、
内蔵メモリや可搬型メモリから再生した再生画像信号や再生音響信号を出力する内部情報源と、
上記中間波信号処理部から出力される受信画像信号或いは上記内部情報源から出力される再生画像信号に所定の処理を施して画像信号を出力する画像信号処理部と、
上記中間波信号処理部から出力される上記受信音響信号或いは上記内部情報源から出力される上記再生音響信号に所定の処理を施して音響信号を出力する音響信号処理部と、
上記画像信号処理部から出力される上記画像信号に基づいて画像情報を出力する表示器と、
上記音響信号処理部から出力される上記音響信号に基づいて音響情報を出力する内部スピーカと、
入出力用ケーブルの所定の端子構造を有するピンプラグが着脱され、内部にオーディオＬチャンネル端子と、オーディオＲチャンネル端子と、グランド端子と、アンテナ端子からなる端子構造を有するピンジャックコネクタ部と、
上記ピンジャックコネクタ部に着脱される上記入出力用ケーブルの種類を、上記端子構造と上記入出力用ケーブル側の上記端子構造の各端子の接続状態により検出して検出信号を出力する検出部と、
上記検出部から出力される上記入出力用ケーブルの検出信号に基づいて、情報出力源として上記中間波信号処理部と上記内部情報源とを選択する出力源切替動作と、情報出力部として上記内部スピーカ或いは上記ピンジャックコネクタ部とを選択する出力部切替動作とを行う切替部とを備え、
上記ピンジャックコネクタ部にヘッドホンスピーカと放送番組の受信アンテナ機能を有するヘッドホンアンテナケーブルが接続されると、上記情報出力源として上記中間波信号処理部を選択するとともに情報出力部として上記ピンジャックコネクタ部を選択し、
上記ピンジャックコネクタ部にヘッドホンスピーカを有するヘッドホンケーブルが接続されると、情報出力源として上記内部情報源を選択するとともに情報出力部として上記ピンジャックコネクタ部を選択し、
上記ピンジャックコネクタ部に外部機器と接続する変換ケーブルが接続されると、情報出力源として上記ピンジャックコネクタ部を選択するとともに情報出力部として上記内部スピーカを選択する
携帯型無線情報再生装置。
【請求項２】
上記ピンジャックコネクタ部が、上記オーディオＬチャンネル端子と上記オーディオＲチャンネル端子と上記グランド端子と上記アンテナ端子を、上記入出力用ケーブルの挿脱方向に沿って互いに絶縁を保持して配列してなる上記端子構造を有する請求項１に記載の携帯型無線情報再生装置。
【請求項３】
携帯端末向け地上波デジタルテレビジョン放送番組を受信するアンテナ機能を有する上記ヘッドホンアンテナケーブルが着脱される請求項１に記載の携帯型無線情報再生装置。
【発明の詳細な説明】
【技術分野】
【０００１】
本発明は、テレビジョン放送番組や内部情報源からの画像情報や音響情報を表示器と内部スピーカから出力する携帯型無線情報再生装置に関する。
【背景技術】
【０００２】
例えば、携帯型液晶テレビジョン受像機やラジオ受信機、携帯型記録再生装置或いは携帯型情報端末装置（PDA:Personal Digital Assistanct）等の携帯型無線情報再生装置においては、一般にアンテナによって受信した放送番組等の受信情報を処理する機能と内部情報源に記憶した内部記憶情報とを利用することが可能に構成されている。携帯型無線情報再生装置は、このためにチューナ部と、内部情報源と、表示器、内部スピーカと、チューナ部或いは内部情報源から出力される画像信号や音響信号を処理する画像信号処理部や音響信号処理部とを備え、またヘッドホン（イヤホン）を接続して外部スピーカによって再生音響情報を聞くことも可能である。なお、内部情報源としては、音響情報を記憶した内部メモリや、装填される可搬型の情報記録媒体から音響情報を再生する再生手段等を含むものとする。
【０００３】
一方、携帯電話機は、めざましい多機能化が図られており、単なる通話手段としての位置付けからむしろ上述した各種の携帯型無線情報再生装置と同様の情報端末機器としての位置付けが高まっている。また、携帯電話機を含む各種の携帯型無線情報再生装置においては、携帯端末向け地上波デジタルテレビジョン放送（ISDB-T:Integrated Services Digital Broadcasting-Terrestrial。以下、単にデジタルテレビ放送と称する。）の開始に伴い、放送番組の受信機能も必須のアイテムとなっている。
【０００４】
携帯型無線情報再生装置においては、基本機能用のアンテナとともに広帯域の放送電波を良好な状態で受信することが可能な高精度のアンテナが必要となる。携帯型無線情報再生装置においては、小型薄型化を保持して必要な場合に放送電波の受信を行うようにするために、例えば特許文献１に開示されるようなアンテナ機能を付加したイヤホンケーブル（ヘッドホンケーブル）、すなわちイヤホンアンテナ（ヘッドホンアンテナ）を着脱して用いるようにすることによって効果的な対応が図られるようになる。
【０００５】
【特許文献１】特開２００３−１６３５２９号公報
【発明の開示】
【発明が解決しようとする課題】
【０００６】
ところで、携帯型無線情報再生装置においては、上述したヘッドホンアンテナを接続して用いる場合に、再生音響情報の出力部として内部スピーカからヘッドホンに切り替える処理を行う必要が生じる。また、携帯型無線情報再生装置においては、内部情報源から音響情報を再生する場合でもヘッドホンアンテナを接続して高精度のヘッドホンによって再生音響情報を聞くようにするために内部スピーカからヘッドホンへの切り替え処理が行われる。
【０００７】
したがって、携帯型無線情報再生装置においては、ヘッドホンアンテナの接続機能を備える場合に、例えばヘッドホンケーブルを着脱するコネクタ部に検出機構を設け、この検出機構からの検出信号によって上述した切替操作が自動的に行われるように構成されることが好ましい。しかしながら、携帯型無線情報再生装置においては、コネクタ部に検出接点構造が必要となるとともにこの検出接点と切替部との配線も必要となり、構造が複雑となって小型化が困難となるとともにコストもアップしてしまうといった問題が生じる。
【０００８】
一方、携帯型無線情報再生装置においては、上述した仕様を採用した場合でも、アンテナ機能を有していない従来の一般的なヘッドホンを接続して内部情報源からの再生音響情報を聞く使用態様についても互換性を図る必要がある。携帯型無線情報再生装置においては、コネクタ部にアンテナ機能を有していないヘッドホンケーブルの接続を検出する機能も必要となり、上述した問題がますます顕著となる。
【０００９】
したがって、本発明は、デジタルテレビ放送の受信が可能であり簡易な構成のピンジャックコネクタ構造の各端子の接続状態を利用して接続される入出力用ケーブルを識別して情報出力源と情報出力部とを最適な組み合わせで自動的に切り替え得るようにする携帯型無線情報再生装置を提供することを目的とする。
【課題を解決するための手段】
【００１０】
上述した目的を達成する本発明にかかる携帯型無線情報再生装置は、例えばデジタルテレビ放送番組等を選択するチューナ部と、このチューナ部により選択された放送番組の受信放送電波を処理して受信画像信号や受信音響信号を出力する中間波信号処理部と、内蔵メモリや可搬型メモリから再生した再生画像信号や再生音響信号を出力する内部情報源を備える。携帯型無線情報再生装置は、中間波信号処理部から出力される受信画像信号或いは内部情報源から出力される再生画像信号に所定の処理を施して画像信号を出力する画像信号処理部と、中間波信号処理部から出力される受信音響信号或いは内部情報源から出力される再生音響信号に所定の処理を施して音響信号を出力する音響信号処理部と、画像信号処理部から出力される画像信号に基づいて画像情報を出力する表示器と、音響信号処理部から出力される音響信号に基づいて音響情報を出力する内部スピーカを備える。
【００１１】
携帯型無線情報再生装置は、ピンジャックコネクタ部と検出部と切替部とを備える。携帯型無線情報再生装置は、ピンジャックコネクタ部が、入出力用ケーブルの所定の端子構造を有するピンプラグが着脱され、内部にオーディオＬチャンネル端子と、オーディオＲチャンネル端子と、グランド端子と、アンテナ端子を例えば入出力用ケーブル側のピンプラグの着脱方向に沿って互いに絶縁を保持して配列してなる端子構造を有する。携帯型無線情報再生装置は、検出部が、ピンジャックコネクタ部に着脱される入出力用ケーブルの種類を、ピンジャックコネクタ部の端子構造と入出力用ケーブル側のピンプラグの端子構造の相対する端子の接続状態により検出して検出信号を出力する。携帯型無線情報再生装置は、切替部が、検出部から出力される入出力用ケーブルの検出信号に基づいて、情報出力源として中間波信号処理部と内部情報源とを選択する出力源切替動作と、情報出力部として内部スピーカ或いはピンジャックコネクタ部とを選択する出力部切替動作とを行う。
【００１２】
携帯型無線情報再生装置においては、ピンジャックコネクタ部にヘッドホンスピーカと放送番組の受信アンテナ機能を有するヘッドホンアンテナケーブルが接続されると、検出部から出力された検出信号に基づいて切替部により情報出力源として中間波信号処理部を選択するとともに情報出力部としてピンジャックコネクタ部を選択する動作が行われる。携帯型無線情報再生装置においては、受信したデジタルテレビ放送番組等の映像を表示器に表示するとともに音声等の音響情報をピンジャックコネクタ部に接続したヘッドホンアンテナケーブルを介してヘッドホンスピーカから出力されるようにする。
【００１３】
携帯型無線情報再生装置においては、ピンジャックコネクタ部にヘッドホンスピーカを有するヘッドホンケーブルが接続されると、検出部から出力された検出信号に基づいて切替部により情報出力源として内部情報源を選択するとともに情報出力部としてピンジャックコネクタ部を選択する動作が行われる。携帯型無線情報再生装置においては、内部情報源から出力された再生画像情報を表示器に表示し或いは内部情報源から出力された再生音響情報をコネクタ部に接続したヘッドホンケーブルを介してヘッドホンスピーカから出力されるようにする。
【００１４】
携帯型無線情報再生装置においては、ピンジャックコネクタ部に外部機器と接続された接続用変換ケーブルが接続されると、検出部から出力された検出信号に基づいて切替部により情報出力源としてピンジャックコネクタ部を選択するとともに情報出力部として内部スピーカを選択する動作が行われる。携帯型無線情報再生装置においては、例えばピンジャックコネクタ部に接続した接続用変換ケーブルを介して外部機器から供給された音響情報を内部スピーカから出力し、また画像情報を表示器に表示するようにする。
【発明の効果】
【００１５】
以上のように構成された本発明にかかる携帯型無線情報再生装置によれば、ピンジャックコネクタ部に設けた端子構造と着脱される入出力用ケーブルのピンプラグに設けた端子構造の各端子間の接続状態を検出することにより情報出力源と情報出力部の切替動作を自動的に行うように構成したことにより、面倒な切替操作を要せずに情報出力源と情報出力部の最適な組み合わせが自動的に行われるようになり使い勝手の向上が図られるようになる。携帯型無線情報再生装置によれば、ピンジャックコネクタ部に着脱される入出力用ケーブルの種類を検出する検出接点機構を不要とすることで構造の簡易化や小型化が図られるようになるとともに、コスト低減を図って多機能化が図られるようになる。
【発明を実施するための最良の形態】
【００１６】
以下、本発明の実施の形態について、図面を参照して詳細に説明する。実施の形態として図面に示した携帯型無線情報再生装置（以下、携帯端末機と称する。）１は、詳細を後述するように筐体２の内部に液晶表示器（表示器）３や内部スピーカ４を備え、内部情報源５から出力された音響信号や画像信号に基づく音響情報や画像情報或いは無線受信機能により受信した放送電波に基づく放送番組をこれら液晶表示器３や内部スピーカ４によって視聴することが可能な例えばノート型パーソナルコンピュータや携帯電話機或いは携帯型液晶テレビジョン受像機である。携帯端末機１は、無線受信機能によってデジタルテレビ放送も受信して視聴することが可能である。
【００１７】
携帯端末機１は、内部情報源５を、例えば各種の情報等を記録可能な内部メモリ或いは筐体２に設けた装填部に挿脱操作される可搬型のメモリ媒体によって構成する。また、携帯端末機１は、内部情報源５として、装填部に挿脱操作されて内蔵した情報記録再生機構により記録情報が再生される例えばＣＤ（Compact Disc）やＤＶＤ（Degital Versatile Disc）等の適宜の情報記録媒体も内部情報源５を構成するものとする。すなわち、携帯端末機１は、後述する各種ケーブルを介して接続された外部機器１７から供給される外部情報を除いて、液晶表示器３や内部スピーカ４に出力する各種情報等の供給源を内部情報源５とする。
【００１８】
携帯端末機１は、図２に示すように筐体２の内部に上述した液晶表示器３や内部スピーカ４及び内部情報源５とともに、チューナ部６と、中間波信号処理部７と、画像信号処理部８と、音響信号処理部９とを備えている。携帯端末機１は、筐体２に後述する各種の接続ケーブルが着脱操作されるピンジャックコネクタ部（以下、コネクタ部と称する。）１０が備えられるとともに、このコネクタ部１０に接続される接続ケーブルの種類を検出する検出部１１と、この検出部１１から出力される検出信号によって各部の切替動作を行わせる切替部１２とが備えられる。なお、携帯端末機１は、上述した各部ばかりでなく、様々な回路部や機構部等を備えているが、本発明の要旨たる情報の入出力部のみを説明するものとする。
【００１９】
携帯端末機１は、音響情報を上述した内部スピーカ４から出力する形態ばかりでなく、図１に示すようにヘッドホンケーブル１３を接続して左右一対のヘッドホンスピーカ１４（１４Ｌ、１４Ｒ）から出力する形態でも使用される。携帯端末機１は、後述するようにヘッドホンケーブル１３として、デジタルテレビ放送のアンテナ機能を有するヘッドホンアンテナケーブル１５や携帯型音響機器等に用いられる一般的なヘッドホン用ケーブル１６がコネクタ部１０に着脱操作されて用いられる。また、携帯端末機１は、コネクタ部１０に適宜の外部機器１７と接続されて情報信号等の授受を行う変換ケーブル１８が着脱操作され、外部機器１７から供給された音響情報をヘッドホンスピーカ１４を用いずに内部スピーカ４から出力する形態でも使用される。
【００２０】
携帯端末機１は、内部情報源５から出力した画像信号に対して、画像信号処理部８において所定の画像信号処理を施して液晶表示器３で映像を表示する。携帯端末機１は、内部情報源５から出力した音響信号に対して、音響信号処理部９において所定の音響信号処理を施して内部スピーカ４或いは接続されたヘッドホンケーブル１３のヘッドホンスピーカ１４から音響を放音する。携帯端末機１は、詳細を後述するように、検出部１１から出力される検出信号に基づいて切替部１２が動作し、情報出力部として内部スピーカ４又はヘッドホンスピーカ１４を選択してその切替操作を行う。
【００２１】
携帯端末機１は、チューナ部６において、アンテナで受信した放送電波から所定放送局に対応する周波数帯域の放送電波を選択して増幅処理を行い、中間波信号処理部７に供給する。携帯端末機１は、中間波信号処理部７において、当該放送電波の復調処理を行って画像情報信号を画像信号処理部８に供給するとともに音響情報信号を音響信号処理部９に供給する。携帯端末機１は、画像情報信号に基づいて液晶表示器３で放送番組の映像を表示する。携帯端末機１は、音響信号処理部９において所定の音響信号処理を施した音響信号に基づいて、内部スピーカ４或いはヘッドホンスピーカ１４から放送番組の音声等を放音する。携帯端末機１は、詳細を後述するように、検出部１１から出力される検出信号に基づいて切替部１２が動作し、情報出力部として内部スピーカ４又はヘッドホンスピーカ１４を選択してその切替操作を行う。
【００２２】
携帯端末機１は、図２及び図３に示すようにコネクタ部１０が筐体２に開口される開口部１９の内部に端子構造２０が設けられたピンジャックコネクタによって構成され、先端部にそれぞれピンプラグ１５ａが設けられたヘッドホンアンテナケーブル１５（図３）と、ピンプラグ１６ａが設けられたヘッドホン用ケーブル１６（図５）或いは、ピンプラグ１８ａが設けられた変換ケーブル１８（図６）が着脱操作される。コネクタ部１０は、端子構造２０が、図２に示すように開口部１９の内部側から互いに絶縁状態を保持して配列されたオーディオＬチャンネル端子２１と、オーディオＲチャンネル端子２２と、グランド端子２３と、アンテナ端子２４との４端子構造によって構成される。
【００２３】
コネクタ部１０は、開口部１９に各ケーブルのピンプラグが嵌合されると、これらピンプラグに設けられた後述する各端子が端子構造２０の相対する各端子と選択的に接続される。コネクタ部１０は、図示しないロック機構によって嵌合されたピンプラグを開口部１９内に保持するとともに、ピンプラグを強く引き抜くことによって開口部１９から抜き出されるようにする。コネクタ部１０は、後述するように各端子２１〜２４と開口部１９から嵌合されたケーブルの各端子との接続状態が検出部１１によって検出されることにより、何れのケーブルが接続されているかが識別されるようにする。
【００２４】
検出部１１は、具体的にはグランド端子２３に対するオーディオＬチャンネル端子２１とオーディオＲチャンネル端子２２及びアンテナ端子２４との接続状態を検出する。検出部１１は、後述するように各ケーブルがそれぞれ異なる端子構造のピンプラグを有しており、このピンプラグがコネクタ部１０に嵌合されることによってグランド端子２３に対する他の端子のオープン・ショート状態が変わることでケーブル検出が行われるようになる。検出部１１は、グランド端子２３に対する各端子２１〜２４のオープン状態を検出することによって、コネクタ部１０にケーブルが接続されていない状態も検出する。なお、検出部１１は、グランド端子２３に対する他の端子の接続状態を検出してケーブル検出を行うようにしたが、各端子の接続状態によってケーブル検出を行うようにしてもよい。
【００２５】
ヘッドホンアンテナケーブル１５は、詳細を省略するが、図３に示すように両側にヘッドホンスピーカ１４Ｌ、１４Ｒを有する一対のイヤホンコード２５Ｌ、２５Ｒと、ピンプラグ１５ａが設けられた同軸ケーブル２６とを中継ユニット２７によって接続してなる。ヘッドホンアンテナケーブル１５は、所定の長さを有するイヤホンコード２５が音響信号と高周波信号（受信放送電波）とを重畳させて伝送する機能を有しており、デジタル放送を受信するアンテナとして作用する。ヘッドホンアンテナケーブル１５は、同軸ケーブル２６が、詳細を省略するが高周波信号を伝送する中心導体と、この中心導体を被覆する第１絶縁材及びこの第１絶縁体を被覆するグランド線を構成するシールド網線と、このシールド網線を被覆する第２絶縁材を介して導かれる一対のオーディオ信号線（音響信号伝送線）とから構成される。
【００２６】
ヘッドホンアンテナケーブル１５は、中継ユニット２７が図示しない回路基板を備えており、イヤホンコード２５側から供給される高周波信号と音響信号とを分離して同軸ケーブル２６の各線によって伝送する。ヘッドホンアンテナケーブル１５は、中継ユニット２７によって分離した音響信号をイヤホンコード２５によってそれぞれヘッドホンスピーカ１４に伝送する。
【００２７】
中継ユニット２７は、図４に回路図を示すが、回路基板の中央部にグランドパターン２８が形成され、このグランドパターン２８の両側に位置してステレオ音響信号の伝送ライン２９Ｌ、２９Ｒが形成される。また、回路基板には、グランドパターン２８の先端部に位置して３個の接続ランド３０Ｌ、３０Ｒ、３０Ｃが形成され、さらにグランドパターン２８の片側に位置して接続ランド３０Ｄが形成されている。
【００２８】
中継ユニット２７は、ステレオ音響信号の伝送ライン２９Ｌ、２９Ｒが、高周波チョーク３１（３１Ｌ、３１Ｒ）を介して第１接続ランド３０Ｌと第２接続ランド３０Ｒとそれぞれ接続される。中継ユニット２７は、グランドパターン２８に対して第３接続ランド３０Ｃが高周波チョーク３１Ｃを介して接続される。中継ユニット２７は、第１接続ランド３０Ｌと第２接続ランド３０Ｒとがチップコンデンサ３２Ｌ、３２Ｒを介して接続され、第２接続ランド３０Ｒと第３接続ランド３０Ｃとがチップコンデンサ３２Ｒを介して接続され、第３接続ランド３０Ｃと第４接続ランド３０Ｄとがチップコンデンサ３２Ｃを介して接続される。中継ユニット２７は、伝送ライン２９Ｌ、２９Ｒがグランドパターン２８に対してチップコンデンサ３３Ｌ、３３Ｒを介して接続されることによって高周波的に一体化される。
【００２９】
中継ユニット２７は、各高周波チョーク３１にフェライトビーズが用いられ、これら高周波チョーク３１が２０ｋＨｚ以下の周波数帯域の音響信号に対してはローインピーダンスとなってこの音響信号を通過させるとともに、高周波信号に対してはハイインピーダンスとなってこの高周波信号の通過を阻止するように作用する。また、中継ユニット２７は、各チップコンデンサ３２、３３に１０００ｐＨの容量を有するものが用いられ、２０ｋＨｚ以下の周波数帯域の音響信号に対してはハイインピーダンスとなってこの音響信号の通過を阻止するとともに、高周波信号に対してはローインピーダンスとなってこの高周波信号を通過させるように作用する。中継ユニット２７は、これらの素子を備えることによって、音響信号と高周波信号とを分離する。
【００３０】
中継ユニット２７は、伝送ライン２９Ｌとグランドパターン２８とがイヤホンコード２５Ｌと接続されるとともに、伝送ライン２９Ｒとグランドパターン２８とがイヤホンコード２５Ｒと接続される。中継ユニット２７は、ヘッドホンスピーカ１４Ｌ、１４Ｒのグランドとなる第３接続ランド３０Ｃが高周波的にアンテナを構成する。
【００３１】
ヘッドホンアンテナケーブル１５は、中継ユニット２７の伝送ライン２９Ｌ、２９Ｒが同軸ケーブル２６の一対のオーディオ信号線とそれぞれ接続され、グランドパターン２８にシールド網線が接続され、さらに第４接続ランド３０Ｄに中心導体が接続される。ヘッドホンアンテナケーブル１５は、同軸ケーブル２６の先端に上述したようにピンプラグ１５ａが設けられている。
【００３２】
ピンプラグ１５ａには、図３に示すように軸方向の先端側から互いに絶縁状態を保持して所定の間隔を以って配列された周回りのオーディオＬチャンネル端子３４と、オーディオＲチャンネル端子３５と、グランド端子３６と、アンテナ端子３７とが設けられている。ヘッドホンアンテナケーブル１５は、オーディオＬチャンネル端子３４とオーディオＲチャンネル端子３５とがそれぞれ同軸ケーブル２６の一対のオーディオ信号線と接続され、グランド端子３６がシールド網線と接続され、アンテナ端子３７が中心導体と接続される。ヘッドホンアンテナケーブル１５は、これら各端子３４〜３７が上述した携帯端末機１側のコネクタ部１０に設けた各端子２１〜２４にそれぞれ対応して設けられている。
【００３３】
ヘッドホンアンテナケーブル１５は、ピンプラグ１５ａを開口部１９に嵌合して携帯端末機１側のコネクタ部１０と接続する。ヘッドホンアンテナケーブル１５は、オーディオＬチャンネル端子３４が相対するオーディオＬチャンネル端子２１と、オーディオＲチャンネル端子３５が相対するオーディオＲチャンネル端子２２と、グランド端子３６が相対するグランド端子２３と、アンテナ端子３７が相対するアンテナ端子２４とそれぞれ接続される。
【００３４】
ヘッドホンアンテナケーブル１５は、上述したようにオーディオＬチャンネル端子３４とオーディオＲチャンネル端子３５とがグランド端子３６と電気的に一体化されている。したがって、携帯端末機１は、ヘッドホンアンテナケーブル１５をコネクタ部１０に接続した状態で、コネクタ部１０の端子構造２０が、図３に模式的に示すようにグランド端子２３に対してオーディオＬチャンネル端子２１及びオーディオＲチャンネル端子２２がショート状態、アンテナ端子２４がオープン状態となる。携帯端末機１は、検出部１１が、この端子構造２０の、グランド端子２３に対するオーディオＬチャンネル端子２１とオーディオＲチャンネル端子２２とアンテナ端子２４との接続状態によってコネクタ部１０に接続されたケーブルがヘッドホンアンテナケーブル１５であることを検出して切替部１２に対して検出信号を出力する。
【００３５】
携帯端末機１においては、検出部１１からのヘッドホンアンテナケーブル１５の検出信号に基づいて、切替部１２によって情報出力源としてチューナ部６が選択されるとともに音響情報の出力部としてヘッドホンアンテナケーブル１５のヘッドホンスピーカ１４が選択される。携帯端末機１は、ヘッドホンアンテナケーブル１５で受信した放送電波がチューナ部６に供給され、中間波信号処理部７及び画像信号処理部８を介して画像信号が液晶表示器３に供給されて放送番組の映像が表示されるようにする。また、携帯端末機１は、中間波信号処理部７から音響信号処理部９に供給されて所定の処理を施された音響信号が、コネクタ部１０を介してヘッドホンアンテナケーブル１５に供給され、ヘッドホンスピーカ１４から出力されるようにする。
【００３６】
アンテナ機能を有していない一般的なヘッドホン用ケーブル１６は、図５に示すようにそれぞれヘッドホンスピーカ１４Ｌ、１４Ｒを有する一対のイヤホンコード３８Ｌ、３８Ｒと、ピンプラグ１６ａが設けられた同軸ケーブル３９とを中継ユニット４０によって接続してなる。ヘッドホン用ケーブル１６は、ピンプラグ１６ａに、軸方向の先端側から互いに絶縁状態を保持して所定の間隔を以って配列された周回りのオーディオＬチャンネル端子４１と、オーディオＲチャンネル端子４２と、グランド端子４３とが設けられている。ヘッドホン用ケーブル１６は、アンテナ機能を有していないためにピンプラグ１６ａにアンテナ端子が設けられていないが、グランド端子４３がコネクタ部１０側のグランド端子２３とアンテナ端子２４との形成領域に対応する長さを以って形成されている。
【００３７】
ヘッドホン用ケーブル１６も、ピンプラグ１６ａを開口部１９に嵌合して携帯端末機１側のコネクタ部１０と接続する。ヘッドホン用ケーブル１６は、オーディオＬチャンネル端子４１が相対するオーディオＬチャンネル端子２１と、オーディオＲチャンネル端子４２が相対するオーディオＲチャンネル端子２２と、グランド端子４３が相対するグランド端子２３とそれぞれ接続される。ヘッドホン用ケーブル１６には、グランド端子４３に対してコネクタ部１０側のアンテナ端子２４も接続される。
【００３８】
携帯端末機１は、ヘッドホン用ケーブル１６をコネクタ部１０に接続した状態で、コネクタ部１０の端子構造２０が、図５に模式的に示すようにグランド端子２３に対してオーディオＬチャンネル端子２１及びオーディオＲチャンネル端子２２がショート状態となるとともに、アンテナ端子２４もショート状態となる。携帯端末機１は、検出部１１が、この端子構造２０における、グランド端子２３に対するオーディオＬチャンネル端子２１とオーディオＲチャンネル端子２２とアンテナ端子２４との接続状態によってコネクタ部１０に接続されたケーブルがヘッドホン用ケーブル１６であることを検出して切替部１２に対して検出信号を出力する。
【００３９】
携帯端末機１においては、検出部１１からのヘッドホン用ケーブル１６の検出信号に基づいて、切替部１２によって情報出力源として内部情報源５が選択されるとともに音響情報の出力部としてヘッドホン用ケーブル１６のヘッドホンスピーカ１４が選択される。携帯端末機１は、内部情報源５によって再生された画像情報が液晶表示器３に供給されて表示されるとともに、音響情報がコネクタ部１０を介してヘッドホン用ケーブル１６に供給されてヘッドホンスピーカ１４から出力されるようにする。
【００４０】
変換ケーブル１８は、図６に示すように外部機器１７と接続されるＦ型コネクタ４４を設けた同軸ケーブル４５の先端部にピンプラグ１８ａが設けられており、このピンプラグ１８ａに軸方向の先端側から互いに絶縁状態を保持して所定の間隔を以って配列された周回りのオーディオＬチャンネル端子４６と、オーディオＲチャンネル端子４７と、グランド端子４８と、画像供給端子４９とが設けられている。ピンプラグ１８ａは、例えばオーディオＲチャンネル端子４７とグランド端子４８とが接続されるようにする。
【００４１】
変換ケーブル１８は、Ｆ型コネクタ４４が音響機器等の外部機器１７と接続される。変換ケーブル１８は、ピンプラグ１８ａを開口部１９に嵌合して携帯端末機１側のコネクタ部１０と接続することによって、オーディオＬチャンネル端子４６が相対するオーディオＬチャンネル端子２１と、オーディオＲチャンネル端子４７が相対するオーディオＲチャンネル端子２２と、グランド端子４８が相対するグランド端子２３と、画像供給端子４９が相対するアンテナ端子２４とそれぞれ接続される。
【００４２】
携帯端末機１は、変換ケーブル１８をコネクタ部１０に接続した状態で、コネクタ部１０の端子構造２０が、図６に模式的に示すようにグランド端子２３に対してオーディオＬチャンネル端子２１がオープン状態、オーディオＲチャンネル端子２２がショート状態、アンテナ端子２４がオープン状態となる。携帯端末機１は、検出部１１が、この端子構造２０におけるグランド端子２３に対するオーディオＬチャンネル端子２１とオーディオＲチャンネル端子２２とアンテナ端子２４との接続状態によってコネクタ部１０に接続されたケーブルが変換ケーブル１８であることを検出して切替部１２に対して検出信号を出力する。
【００４３】
携帯端末機１においては、検出部１１からの変換ケーブル１８の検出信号に基づいて、切替部１２によって情報出力源として外部機器１７が選択されるとともに音響情報の出力部として内部スピーカ４が選択される。携帯端末機１は、外部機器１７から供給された画像情報が液晶表示器３に供給されて表示されるとともに、音響情報が内部スピーカ４から出力されるようにする。
【００４４】
なお、変換ケーブル１８については、外部機器１７との接続用のケーブルに限定されず、例えば携帯端末機１に接続する外付けアンテナ５０であってもよい。携帯端末機１は、外付けアンテナ５０で受信した放送番組等を外部情報として液晶表示器３と内部スピーカ４とによって出力する。なお、外付けアンテナ５０は、コネクタ部１０に接続されるピンプラグが、上述した変換ケーブル１８のピンプラグ１８ａに設けた端子構造を備えており、画像供給端子４９がアンテナ端子として構成される。
【００４５】
携帯端末機１においては、図７に示すようにコネクタ部１０に各種のケーブルが接続されていない状態も検出部１１によって検出する。コネクタ部１０は、上述したようにオーディオＬチャンネル端子２１と、オーディオＲチャンネル端子２２と、グランド端子２３と、アンテナ端子２４とが互いに絶縁を保持されて形成されている。したがって、コネクタ部１０は、各種のケーブルが接続されていない状態で、端子構造２０が、図７に模式的に示すようにグランド端子２３に対してオーディオＬチャンネル端子２１と、オーディオＲチャンネル端子２２と、アンテナ端子２４とがいずれもオープン状態となっている。
【００４６】
携帯端末機１は、検出部１１が、この端子構造２０におけるグランド端子２３に対するオーディオＬチャンネル端子２１とオーディオＲチャンネル端子２２とアンテナ端子２４との接続状態によってコネクタ部１０にケーブルが接続されていないことを検出して切替部１２に対して検出信号を出力する。携帯端末機１においては、検出部１１からのケーブル接続無しの検出信号に基づいて、切替部１２によって情報出力源として内部情報源５が選択されるとともに音響情報の出力源として内部スピーカ４が選択される。携帯端末機１は、内部情報源５から出力される再生情報に基づいて画像情報が液晶表示器３に供給されて表示されるとともに、音響情報が内部スピーカ４から出力されるようにする。
【００４７】
なお、上述した携帯端末機１においては、説明の便宜上、検出部１１が音響信号の入出力部を構成するように図示したが、実際にはコネクタ部１０の各端子２１〜２４が画像信号や音響信号の入出力部と接続される。携帯端末機１においては、切替部１２から内部情報源５とチューナ部６とに対して制御信号を出力するようにしたが、この切替部１２が全体の制御動作を行う制御処理部等によって構成することは勿論である。携帯端末機１は、液晶表示器３を有して音響情報とともに映像情報を視聴するようにしたが、例えば音響情報のみを処理するようにしてもよい。
【００４８】
携帯端末機１においては、４端子構造のコネクタ部１０を備え、接続されるケーブル側のピンプラグに設けた各端子との組み合わせによってグランド端子とその他の端子との接続状態を検出部が検出するように構成したが、かかる構成に限定されるものでは無い。携帯端末機１は、例えばグランド端子を独立端子として構成しなければならない場合に、５端子構造としてコモン端子を設け、このコモン端子と各端子との組み合わせによって接続ケーブルの検出を行うようにしてもよいことは勿論である。
【図面の簡単な説明】
【００４９】
【図１】実施の形態として示す携帯端末機の使用状態の説明図である。
【図２】同携帯端末機の主たる構成を示すブロック図である。
【図３】ヘッドホンアンテナケーブルとその接続の検出動作の説明図である。
【図４】ヘッドホンアンテナケーブルに備えられる中継ユニットの回路図である。
【図５】ヘッドホン用ケーブルとその接続の検出動作の説明図である。
【図６】変換ケーブルとその接続の検出動作の説明図である。
【図７】ケーブル非接続状態の検出動作の説明図である。
【符号の説明】
【００５０】
１  携帯端末機（携帯型無線情報再生装置）、２  筐体、３  液晶表示器、４  内部スピーカ、５  内部情報源、６  チューナ部、７  中間波信号処理部、８  画像信号処理部、９  音響信号処理部、１０  ピンジャックコネクタ部、１１  検出部、１２  切替部、１３  ヘッドホンケーブル、１４  ヘッドホンスピーカ、１５  ヘッドホンアンテナケーブル、１５ａ  ピンプラグ、１６  ヘッドホン用ケーブル、１６ａ  ピンプラグ、１７  外部機器、１８  変換ケーブル、１８ａ  ピンプラグ、１９  開口部、２０  端子構造、２１  オーディオＬチャンネル端子、２２  オーディオＲチャンネル端子、２３  グランド端子、２４  アンテナ端子、２５  イヤホンコード、２６  同軸ケーブル、２７  中継ユニット、３４  オーディオＬチャンネル端子、３５  オーディオＲチャンネル端子、３６  グランド端子、３７  アンテナ端子、３８  イヤホンコード、３９  同軸ケーブル、４１  オーディオＬチャンネル端子、４２  オーディオＲチャンネル端子、４３  グランド端子、４４  Ｆ型コネクタ、４５  同軸ケーブル、４６  オーディオＬチャンネル端子、４７  オーディオＲチャンネル端子、４８  グランド端子、４９  画像供給端子、５０  外付けアンテナ
【図１】
0004419806.tif 000002
【図２】
0004419806.tif 000003
【図３】
0004419806.tif 000004
【図４】
0004419806.tif 000005
【図５】
0004419806.tif 000006
【図６】
0004419806.tif 000007
【図７】
0004419806.tif 000008